(57)【要約】【課題】  装置全体の薄型化を図れるとともに、スレッドモータのサイズ選定の制約を軽減して省電力化を図ることのできる光ディスク駆動装置を提供する。【解決手段】  光学ピックアップ２６を光ディスク５０の半径方向に移動させるためのスクリューシャフト２７を駆動するスレッドモータ２９のモータ本体を、ターンテーブル２２に装着された光ディスク５０の外径よりも外側の領域に配置する。これにより、装置全体の薄型化を図れるとともに、スレッドモータのサイズ選定の制約を軽減することができる。【選択図】図２
2006134372.tif 000002
【特許請求の範囲】
【請求項１】
信号の記録面を有する光ディスクを支持し駆動するディスク駆動機構と、
前記ディスク駆動機構に支持される前記光ディスクの前記信号記録面に沿って移動自在に設けられた光学ピックアップと、
前記ディスク駆動機構に支持される前記光ディスクの前記信号記録面にほぼ平行な面内で当該光ディスクが占める領域の外に配置されたモータ本体と、前記信号記録面にほぼ平行に配置され前記モータ本体の動力を出力する回転軸とを有し、前記光学ピックアップを移動させるためのスレッドモータと
を具備することを特徴とする光ディスク駆動装置。
【請求項２】
前記モータ本体の上端が、前記ディスク駆動機構に支持される前記光ディスクよりも高い位置にあることを特徴とする請求項１に記載の光ディスク駆動装置。
【請求項３】
前記ディスク駆動機構、前記光学ピックアップ及び前記スレッドモータを含む部品群を搭載するシャーシをさらに具備し、
前記スレッドモータの前記モータ本体の上端が、前記シャーシ上に搭載された前記部品群の最上端の高さ以下にあることを特徴とする請求項２に記載の光ディスク駆動装置。
【請求項４】
前記部品群の最上端から前記部品群の最下端までの距離は７ｍｍより小さいことを特徴とする請求項３に記載の光ディスク駆動装置。
【請求項５】
前記回転軸とは異なる高さで、かつ、前記信号記録面にほぼ平行に配置され、前記スレッドモータの動力を前記光学ピックアップに伝達することで、該光学ピックアップを移動させるスクリューシャフトをさらに具備することを特徴とする請求項１に記載の光ディスク駆動装置。
【請求項６】
信号の記録面を有する光ディスクを支持し駆動するディスク駆動機構と、
前記ディスク駆動機構に支持される前記光ディスクの前記信号記録面に沿って移動自在に設けられた光学ピックアップと、
前記ディスク駆動機構に支持される前記光ディスクの前記信号記録面にほぼ平行な面内で当該光ディスクが占める領域の外に配置されたモータ本体と、前記信号記録面にほぼ平行に配置され前記モータ本体の動力を出力する回転軸とを有し、前記光学ピックアップを移動させるためのスレッドモータと
を具備することを特徴とする光ディスク装置。
【発明の詳細な説明】
【技術分野】
【０００１】
本発明は、光ディスクの記録または再生を行う光ディスク駆動装置及び光ディスク装置に関する。
【背景技術】
【０００２】
たとえばノート型のパーソナルコンピュータなどに搭載される薄型の光ディスク装置には、周面に螺旋溝を設けたスクリューシャフトを回転させて光学ピックアップを移動させる機構が採用されている。
【０００３】
図１１はかかる従来の光ディスク駆動装置を備えた光ディスク装置２００の構成を示す平面図である。この光ディスク装置２００は、可動部２０の収容空間１１を有する装置本体１０と、この装置本体１０に出し入れ自在に支持された可動部２０とを備えて構成される。可動部２０は、サブシャーシ２１を有しており、このサブシャーシ２１上にはターンテーブル２２に装着される光ディスク５０の半径方向に沿って二本のガイド軸２４，２５が互いに平行に配置されており、これらガイド軸２４，２５には、光学ピックアップ２６がガイド軸２４，２５の軸方向にスライド自在に支持されている。
【０００４】
また、サブシャーシ２１上には、ほぼ全長にわたって周面に螺旋溝２７ａが形成されたスクリューシャフト２７がガイド軸２４，２５の軸方向に沿って配置されている。スクリューシャフト２７の一端にはギア２８が同軸に取り付けられている。このギア２８は、サブシャーシ２１上に搭載されたスレッドモータ２９のドライブ軸３０に同軸に取り付けられたドライブギア３１と中間ギア４６を介して連結されている。また、光学ピックアップ２６のスクリューシャフト２７に対向する部位には係合突起３２が設けられており、この係合突起３２はスクリューシャフト２７の螺旋溝２７ａに遊嵌されている。
【０００５】
これにより、スレッドモータ２９の動力はドライブギア３１、中間ギア４６およびギア２８を通じてスクリューシャフト２７に伝達されてスクリューシャフト２７が回転する。スクリューシャフト２７の回転に伴い、スクリューシャフト２７の周面の螺旋溝２７ａに沿って光学ピックアップ２６の係合突起３２が案内されることで、光学ピックアップ２６がガイド軸２４，２５に沿って移動する。
【０００６】
ここで、スクリューシャフト２７を駆動するスレッドモータ２９は、ターンテーブル２２に装着された光ディスク５０の外径の内側の領域に配置されることが一般である（特許文献１参照）。  
【特許文献１】特開２００２−２６０３５２号公報（図２）
【発明の開示】
【発明が解決しようとする課題】
【０００７】
しかしながら、光ディスクの外径の内側の領域にスレッドモータを配置した場合、光ディスクとスレッドモータとが光ディスク装置の厚み方向すなわちスピンドルモータの軸方向に順に並んだ配置となるため、光ディスク装置全体の薄型化に不利な構成となる。近年、光ディスク装置の薄型化の要求はますます強くなってきており、スレッドモータのサイズの選定に一層厳しい制約が課せられ、それだけ所要のトルクを得るために大きな電流が必要となる。
【０００８】
本発明は以上のような事情に鑑み、装置全体の薄型化を図れるとともに、スレッドモータのサイズ選定の制約を軽減して省電力化を図ることのできる光ディスク駆動装置及び光ディスク装置を提供することを目的としている。
【課題を解決するための手段】
【０００９】
上記目的を達成するため、本発明の光ディスク駆動装置は、信号の記録面を有する光ディスクを支持し駆動するディスク駆動機構と、前記ディスク駆動機構に支持される前記光ディスクの前記信号記録面に沿って移動自在に設けられた光学ピックアップと、前記ディスク駆動機構に支持される前記光ディスクの前記信号記録面にほぼ平行な面内で当該光ディスクが占める領域の外に配置されたモータ本体と、前記信号記録面にほぼ平行に配置され前記モータ本体の動力を出力する回転軸とを有し、前記光学ピックアップを移動させるためのスレッドモータとを具備することを特徴とする。
【００１０】
この発明によれば、スレッドモータのモータ本体の高さが光ディスク駆動装置の全体の厚みに影響しないので、光ディスク駆動装置の全体の薄型化を図ることができる。また、スレッドモータのサイズ選定の制約を軽減でき、さらに、スレッドモータの熱による光ディスクの熱分布への影響を抑制することができる。「信号記録面にほぼ平行に配置された回転軸」とは、その回転軸の軸中心を通る軸線が信号記録面にほぼ平行に配置されている、という意味である。
【００１１】
また、本発明の光ディスク駆動装置は、前記モータ本体の上端が、前記ディスク駆動機構に支持される前記光ディスクよりも高い位置にあるように構成してもよい。すなわち、より大きな径サイズのスレッドモータを利用することにより、所要のトルクを得るために必要な電流を下げることができ、消費電力を低減できる。
【００１２】
さらに、本発明の光ディスク駆動装置は、前記ディスク駆動機構、前記光学ピックアップ及び前記スレッドモータを含む部品群を搭載するシャーシをさらに具備し、前記スレッドモータの前記モータ本体の上端が、前記シャーシ上に搭載された前記部品群の最上端の高さ以下にあるような構成を選定することができる。これにより、装置全体の厚みを変更することなく、大きな径サイズのスレッドモータを利用した省電力型の光ディスク装置を提供することができる。
【００１３】
例えば、本発明の光ディスク駆動装置は、前記部品群の最上端から前記部品群の最下端までの距離は７ｍｍより小さくなるように設計されている。
【００１４】
また、本発明の光ディスク駆動装置は、前記回転軸とは異なる高さで、かつ、前記信号記録面にほぼ平行に配置され、前記スレッドモータの動力を前記光学ピックアップに伝達することで、該光学ピックアップを移動させるスクリューシャフトをさらに具備することを特徴とする。本発明において、高さが異なるとは、スクリューシャフトの軸中心を通る軸線の高さと、上記回転軸の軸線の高さとが異なる、という意味である。本発明では、スレッドモータのサイズ選定の制約されないことから、スレッドモータの高さ方向の幅が比較的小さいものであれば、このスレッドモータの高さ方向の配置の自由度が増す。このため、本発明のように、スクリューシャフトとは異なる高さにスレッドモータの回転軸が配置されるようにしてもよい。
【００１５】
また、本発明の別の観点に基づく光ディスク装置は、信号の記録面を有する光ディスクを支持し駆動するディスク駆動機構と、前記ディスク駆動機構に支持される前記光ディスクの前記信号記録面に沿って移動自在に設けられた光学ピックアップと、前記ディスク駆動機構に支持される前記光ディスクの前記信号記録面にほぼ平行な面内で当該光ディスクが占める領域の外に配置されたモータ本体と、前記信号記録面にほぼ平行に配置され前記モータ本体の動力を出力する回転軸とを有し、前記光学ピックアップを移動させるためのスレッドモータとを具備する。
【００１６】
この発明によれば、スレッドモータのモータ本体の高さが光ディスク駆動装置の全体の厚みに影響しないので、光ディスク駆動装置の全体の薄型化、ひいては光ディスク装置の全体の薄型化を図ることができる。また、スレッドモータのサイズ選定の制約を軽減でき、さらに、スレッドモータの熱による光ディスクの熱分布への影響を抑制することができる。
【発明の効果】
【００１７】
以上のように、本発明によれば、装置全体の薄型化を図れるとともに、スレッドモータのサイズ選定の制約を軽減することができる。
【発明を実施するための最良の形態】
【００１８】
以下、本発明の実施の形態を図面に基づいて説明する。
【００１９】
図１は本発明にかかる光ディスク駆動装置を用いた光ディスク装置の構成を示す斜視図、図２は、その平面図である。また、図３は図２の光ディスク駆動装置をＹ軸方向に見た側面図、図４は図２の光ディスク駆動装置をＸ軸方向に見た側面図である。
【００２０】
図１及び図２に示すように、この光ディスク装置１００は、内部に制御用のメイン基板（図示せず）を搭載し、可動部２０の収容空間１１を有する装置本体１０と、この装置本体１０に左右のレール１２，１３によって出し入れ自在に支持された可動部２０とを備えて構成される。
【００２１】
可動部２０はサブシャーシ２１を有しており、このサブシャーシ２１は、光ディスク装置１００の装置本体１０の各レール１２，１３との連結部を有する図示せぬメインシャーシ上にインシュレータなどの図示せぬ防振機構を介して支持されている。サブシャーシ２１上には光ディスク駆動装置を構成する各部品が搭載されている。
【００２２】
サブシャーシ２１上にはスピンドルモータ２３が搭載されており、このスピンドルモータ２３の図示せぬドライブ軸には、光ディスク５０を着脱自在に支持するディスク装着部３９を先端に有するターンテーブル２２が同軸に設けられている。
【００２３】
図２に示すように、サブシャーシ２１上にはターンテーブル２２に装着される光ディスク５０の半径方向に沿って二本のガイド軸２４，２５が互いに平行に配置され、これらガイド軸２４，２５の各々の両端部はサブシャーシ２１に設けられた軸固定部３３，３４，３５，３６に固定されている。これらガイド軸２４，２５には、光ディスク５０の信号を読み出したり、書き込んだりするための、対物レンズ２６ａを搭載した光学ピックアップ２６がガイド軸２４，２５の軸方向にスライド自在に支持されている。
【００２４】
さらに、サブシャーシ２１上には、ほぼ全長にわたって周面に螺旋溝２７ａが形成されたスクリューシャフト２７がガイド軸２４，２５の軸方向に対して平行に配置され、このスクリューシャフト２７の両端部はサブシャーシ２１に設けられた図示せぬ軸固定部３７，３８に回転可能に取り付けられている。このスクリューシャフト２７の一端にはギア２８が同軸に取り付けられている。このギア２８には、サブシャーシ２１上に搭載されたスレッドモータ２９のドライブ軸３０に同軸に取り付けられたドライブギア３１と噛合している。すなわち、スレッドモータ２９のドライブ軸３０とスクリューシャフト２７とはギア列２８，３１を通じて一列に連結され、スレッドモータ２９のドライブ軸３０とスクリューシャフト２７の回転軸とは異なる高さに設定されている。
【００２５】
光学ピックアップ２６のスクリューシャフト２７に対向する部位には係合突起３２が設けられており、この係合突起３２は、上記のスクリューシャフト２７の周面に設けられた螺旋溝２７ａに遊嵌されている。
【００２６】
したがって、この光ディスク駆動装置においては、スレッドモータ２９の動力がドライブギア３１とこれに噛合うギア２８を通じてスクリューシャフト２７に伝達されることでスクリューシャフト２７が回転して、このスクリューシャフト２７の螺旋溝が旋回することで、螺旋溝に係合突起３２が遊嵌されている光学ピックアップ２６がガイド軸２４，２５に沿って移動する。
【００２７】
スピンドルモータ２３およびスレッドモータ２９はそれぞれ、光ディスク装置１００の装置本体１０に搭載されているメイン基板（図示せず）上のスピンドルモータ２３用およびスレッドモータ２９用のモータ駆動回路と図示せぬフレキシブル印刷基板などを通じて電気的に接続されている。
【００２８】
光ディスク５０に記録されている情報を再生する場合、光学ピックアップ２６にて、光ディスク５０の信号記録面に光ビームを照射して信号記録面からの反射光を検出して電気信号に変換し、これを読み取り信号として光ディスク装置の装置本体１０に搭載されているメイン基板（図示せず）上の信号処理回路へ出力する。信号処理回路では、光学ピックアップ２６より入力された読み取り信号に対して復調、誤り訂正復号などの信号処理が行われて再生データが得られる。
【００２９】
また、光ディスク５０に情報を記録する場合には、装置本体１０の信号処理回路にて、記録用のデータに誤り訂正のための符号が付加された後、記録用の変調信号への変換が行われて光学ピックアップ２６に送られる。光学ピックアップ２６は記録用の変調信号に従って光ディスク５０の信号記録面に向けて記録用の光ビームを照射して、光ディスク５０の信号記録面に記録マークを形成する。
【００３０】
次に、スレッドモータ２９の配置の詳細について説明する。
【００３１】
スレッドモータ２９は、永久磁石、ロータ、ステータ、コイルなどのモータの主要部をケース内に一体に収容したモータ本体と、このモータ本体の端面から突出したドライブ軸３０とで構成される。図２から図３において符号２９が指す部分はスレッドモータのモータ本体の部分である。スレッドモータ２９は、モータ本体内の軸がターンテーブル２２に装着される光ディスク５０の信号記録面に対して平行あるいはほぼ平行となるような姿勢でサブシャーシ２１上に固定されている。
【００３２】
スレッドモータ２９のモータ本体は、ターンテーブル２２に装着される光ディスク５０の外径の外側の領域に配置されている。すなわち、ターンテーブル２２に装着された光ディスク５０の信号記録面に平行な二次元空間にて、この光ディスク駆動装置に装着される最大径サイズ（たとえば１２ｃｍ）の光ディスクが占める領域の外に配置されている。
【００３３】
このようにスレッドモータ２９のモータ本体を、ターンテーブル２２に装着された光ディスク５０の外径の外側の領域に配置することによって次の効果を得ることができる。
【００３４】
第１に、光ディスク駆動装置の全体の薄型化が可能になる。図５の（ａ）に示すように、光ディスク５０の外径の内側の領域にスレッドモータ２９を配置した場合、光ディスク５０とスレッドモータ２９とがスピンドルモータ２３の軸方向に順に並んだ配置となるため、光ディスク５０の厚み、スレッドモータ２９のモータ本体の高さＨｍ、および光ディスク５０とスレッドモータ２９との隙間Ｈｇを足し合わせた高さが光ディスク駆動装置の全体の厚みＨ１に直接響いてくる。本実施形態によれは、図５の（ｂ）に示すように、スレッドモータ２９のモータ本体の高さＨｍが光ディスク駆動装置の全体の厚みＨ２に必ずしも影響しないので、光ディスク駆動装置の全体の薄型化を図ることができる。なお、光ディスク駆動装置の全体の厚みは、サブシャーシ２１の図中下端面と、ターンテーブル２２の中心部に同軸に設けられたディスク装着部３９の図中上端面との距離である。Ｈ２は、例えば７ｍｍ以下とすることができる。
【００３５】
第２に、スレッドモータ２９のサイズ選定の制約が軽減される。たとえば、スレッドモータ２９のモータ本体の上端が、ターンテーブル２２上に装着されている光ディスク５０よりも高くなるようなスレッドモータ２９のサイズ選定が可能になる。さらに、図５の（ｃ）に示すように、光ディスク駆動装置の全体の厚みＨ１を変更しないことを前提とした場合、スレッドモータ２９のモータ本体の図中上端面がディスク装着部３９の図中上端面の高さを超えない範囲で、大きなサイズのスレッドモータ２９を選定することができる。大きな径サイズのスレッドモータ２９の利用が可能になることで、所要のトルクを得るために必要な電流を下げることができ、消費電力を低減できる。
【００３６】
第３に、スレッドモータ２９の熱による光ディスク５０の熱分布への影響を抑制できる。すなわち、光ディスク５０の外径の内側の領域にスレッドモータ２９を配置した場合、光ディスク５０のスレッドモータ２９のモータ本体に対向する領域がスレッドモータ２９からの放射熱によって温度が高くなる傾向を呈する。このような光ディスク５０の熱分布はレーザパワーによる書き込み品質に影響を来たすおそれがある。光ディスク５０の外径の外側の領域にスレッドモータ２９を配置することで、スレッドモータ２９の熱が光ディスク５０に伝わりにくくなり、スレッドモータ２９の熱による光ディスク５０の熱分布への影響を抑制できる。
【００３７】
次に、上記の実施形態の変形例を説明する。
【００３８】
上記の実施形態では、スレッドモータ２９は、その軸がターンテーブル２２に装着される光ディスク５０の信号記録面に対して平行あるいはほぼ平行となるような姿勢でサブシャーシ２１上に固定されるものとしたが、軸がターンテーブル２２に装着される光ディスク５０の信号記録面に対して垂直あるいはほぼ垂直の姿勢で固定してもよい。
【００３９】
また、図６および図７はスレッドモータ２９の配置の変更例を示している。図６は、サブシャーシ２１上にてスレッドモータ２９のドライブ軸３０とスクリューシャフト２７とを互いに平行に二列に並べて配置し、スレッドモータ２９のドライブ軸３０に同軸に取り付けられたドライブギア３１と、スクリューシャフト２７のギア２８とを多段ギア列４１にて連結したものである。図７は、スレッドモータ２９のドライブ軸３０に同軸に取り付けられたドライブギア３１と、スクリューシャフト２７のギア２８とを、両端にギア４２，４３が取り付けられた回転軸４４にて連結したものである。また、ドライブギア３１、スクリューシャフト２７のギア２８、回転軸４４のギア４２，４３にかさ歯車を利用することで、スレッドモータ２９のドライブ軸３０とスクリューシャフト２７とを互いに平行に配置することに制約されずに、スレッドモータ２９のモータ本体をターンテーブル２２に装着される光ディスク５０の外径の外側の領域に配置することができる。
【００４０】
なお、本発明にかかる光ディスク駆動装置および光ディス装置は、上記実施の形態に示す構成のものに限定されるものではなく、請求項に記載した技術的範囲を逸脱しない範囲において種々に変更し変形することは勿論である。
【００４１】
図８は、上記係合突起３２を具体的に示した係合機構の平面図である。図９はその底面図（図８を裏面から見た図）であり、図１０はその側面図である。
【００４２】
この係合機構６０は、上述したガイド軸２４に沿って移動する光学ピックアップ２６に形成された溝状の取付部２６ｂに、取り付けられている。係合機構６０は、例えば板バネ部材６１と、係合部材６３とで構成されている。例えば、板バネ部材６１が光学ピックアップ２６にネジ６５によって固定されることで係合機構６０は取付部２６ｂに取り付けられる。板バネ部材６１は例えば金属でなる。一方、係合部材６３は例えば樹脂でなる。板バネ部材６１と係合部材６３は例えば接着剤等によって固定されている。
【００４３】
板バネ部材６１は、ベース部６１ｄと、このベース部６１ｄからほぼ水平方向に延設された、バネ部６１ａ、６１ｂ及び６１ｃとが一体的に設けられて構成されている。板バネ部材６１は、ほぼ中央において、符号６１ｅで示すように溝状（例えばＵ字状）に折り曲げられることにより、図８及び図９中、上下方向（つまり、スクリューシャフト２７の軸線に紙面内で直行する方向）に対して弾性力を持つようなる。
【００４４】
係合部材６３は、プレート状のベース部６３ａが、図１０に示すように鉛直方向に立設するように、上記板バネ部材６１に固定されており、スクリューシャフト２７の螺旋溝２７ａと噛み合う２本の係合突起６３ｂ（図８及び図９参照）を有している。この係合突起６３ｂは、図１０に示すように、ベース部６３ａと同様に鉛直方向に立設されるように設けられている。
【００４５】
上記板バネ部材６１の中央のバネ部６１ａは、図９及び図１０に示すように、係合部材６３のベース部６３ａの下面６３ａ−２に接続されている。一方、板バネ部材６１の両側部に設けられたバネ部６１ｂ及び６１ｃは、係合部材６３のベース部６３ａの手前で折り曲がってそれぞれ上方に延び、さらにベース部６３ａの上面６３ａ−１で折り曲がっている。そして、図８及び図１０に示すように、バネ部６１ｂ及び６１ｃの先端６１ｂ−１及び６１ｃ−１は、その上面６３ａ−１にそれぞれ当接して接続されている。
【００４６】
このような構成により、スクリューシャフト２７が回転することにより、その回転運動が、係合突起６３ｂ、板バネ部材６１を介して、光学ピックアップ２６の水平移動の運動に変換される。特に、本実施の形態では、中央のバネ部６１ａと、両側部のバネ部６１ｂ及び６１ｃとが、係合部材６３の上下に分かれて接続されているので、光学ピックアップ２６が移動するときの安定度が増し、製品の信頼性が向上する。
【図面の簡単な説明】
【００４７】
【図１】本発明の一実施の形態に係る光ディスク駆動装置を用いた光ディスク装置の構成を示す斜視図である。
【図２】図１の光ディスク装置の構成を示す平面図である。
【図３】図２の光ディスク駆動装置をＹ軸方向に見た側面図である。
【図４】図２の光ディスク駆動装置をＸ軸方向に見た側面図である。
【図５】光ディスク駆動装置の薄型化およびスレッドモータのサイズ選定の制約軽減の各効果を説明するための側面図である。
【図６】スレッドモータの配置の変更例を示す平面図である。
【図７】スレッドモータの配置の別の変更例を示す平面図である。
【図８】本発明の一実施の形態に係る、光学ピックアップとスクリューシャフトとの係合部分を示す平面図である。
【図９】図８に示す係合部分の底面図である。
【図１０】図８に示す係合部分の側面図である。
【図１１】従来の光ディスク駆動装置を備えた光ディスク装置の構成を示す平面図である。
【符号の説明】
【００４８】
１０      装置本体
１１      収容空間
２０      可動部
２１      サブシャーシ
２２      ターンテーブル
２３      スピンドルモータ
２４，２５      ガイド軸
２６      光学ピックアップ
２７      スクリューシャフト
２７ａ      螺旋溝
２９      スレッドモータ
５０      光ディスク
１００      光ディスク装置
【図１】
2006134372.tif 000003
【図２】
2006134372.tif 000004
【図３】
2006134372.tif 000005
【図４】
2006134372.tif 000006
【図５】
2006134372.tif 000007
【図６】
2006134372.tif 000008
【図７】
2006134372.tif 000009
【図８】
2006134372.tif 000010
【図９】
2006134372.tif 000011
【図１０】
2006134372.tif 000012
【図１１】
2006134372.tif 000013